(57)【要約】  ファームウェアに異なるシリンジ定義を記憶する静脈造影剤注入器は、新しいファームウェアのインストールを必要とすることなく、サービス技術者がシリンジ定義を更新することを可能にするソフトウェアルーチンを備える。注入器がシリンジの充填などの作動ルーチンを実行するとき、これらのシリンジ定義を使用することができる。
2007516778.tif 000002
【特許請求の範囲】
【請求項１】
造影剤注入器システム内で、シリンジ定数を変更する方法であって、
サービス技術者が前記注入器システムの１つ以上のサービスレベルの性状の構成を行うことを可能にするインターフェイスを表示するステップと、
前記シリンジ定数の入力要求をするデータ収集ルーチンを前記インターフェイス内で提供するステップと、
前記入力要求に応答して、前記シリンジ定数に関連する入力を受け付けるステップと、
前記受け付けられた入力に従ってシリンジ定義を更新するステップと
を備える、方法。
【請求項２】
前記注入器システムの一部である不揮発性メモリに前記シリンジ定義を記憶するステップをさらに備える、請求項１に係る方法。
【請求項３】
前記シリンジ定数が、シリンジ直径、シリンジストローク長さ、及びシリンジ容量のうちの１つ以上を含む、請求項１に係る方法。
【請求項４】
前記シリンジ定数の２つに関連するデータを要求するステップと、
第３のシリンジ定数を算出するステップと
をさらに備える、請求項３に係る方法。
【請求項５】
前記シリンジ定義を更新するステップの影響を受ける、前記注入器システムの１つ以上の作動ルーチンを変更するステップをさらに備える、請求項１に係る方法。
【請求項６】
前記シリンジ定義を更新するステップの影響を受ける、前記注入器システムにより記憶されている１つ以上のパラメータを変更するステップをさらに備える、請求項１に係る方法。
【請求項７】
前記受け付けられた入力に基づいてラベルをシリンジ情報と対応付けるステップをさらに備える、請求項１に係る方法。
【請求項８】
前記更新するステップは、ａ）既存のシリンジ定義を変更するステップ、又はｂ）新しいシリンジ定義を作り出すステップのうちの１つを含む、請求項１に係る方法。
【請求項９】
前記シリンジ定義を記憶する前に前記不揮発性メモリから別のシリンジ定義を削除するステップをさらに備える、請求項２に係る方法。
【請求項１０】
前記インターフェイスから出るステップと、
作動ルーチンが実行される作動インターフェイスを表示するステップと
をさらに備える、請求項１に係る方法。
【請求項１１】
前記作動ルーチンが前記シリンジ定義に依存する、請求項１０に係る方法。
【請求項１２】
処理装置と、
前記処理装置と結合される不揮発性記憶装置と、
前記不揮発性記憶装置内に記憶され、前記処理装置で実行するように構成されたアプリケーションと、
を備える造影剤注入器システムであって、前記アプリケーションは、
前記注入器システムの構成を行うためのインターフェイスと、
シリンジ定数に関連するデータを受け付けるように構成された入力ルーチンと、
前記データに基づいてシリンジ定義を生成するように構成された更新ルーチンと
を備える、システム。
【請求項１３】
前記入力ルーチンはさらに、技術者に前記シリンジ定数の一部の入力要求をし、省略されるシリンジ定数を決定し、前記省略されているシリンジ定数を算出するように構成されている、請求項１２に係るシステム。
【請求項１４】
前記シリンジ定義は前記不揮発性記憶装置に記憶される、請求項１２に係るシステム。
【請求項１５】
前記不揮発性記憶装置に記憶された作動アプリケーションをさらに備え、前記作動アプリケーションは前記注入器システムの注入器を作動させる１つ以上の制御ルーチンを備え、前記制御ルーチンは前記シリンジ定義を使用して前記注入器を作動させる、請求項１２に係るシステム。
【請求項１６】
注入器システムを更新する方法であって、
前記注入器システムのサービスモードに入るステップと、
１つ以上のシリンジ定数を入力するステップと、
前記１つ以上のシリンジ定数に基づいて、追加のシリンジ定数を算出するステップと、
前記１つ以上のシリンジ定数及び前記算出されたシリンジ定数に基づいて前記注入器システムにシリンジ定義を記憶するステップと
を備える、方法。
【請求項１７】
注入器システムを更新する方法であって、
前記注入器システムのサービスモードに入るステップと、
少なくとも３つのシリンジ定数を入力するステップと、
前記３つのシリンジ定数に基づいて前記注入器システム内にシリンジ定義を記憶するステップと
を備える、方法。
【請求項１８】
前記少なくとも３つのシリンジ定数は、シリンジ直径、シリンジストローク長さ、及びシリンジ容量を含む、請求項１７に係る方法。
【請求項１９】
前記シリンジ定義に依存する前記注入器システム内のソフトウェアルーチンを更新するステップをさらに備える、請求項１７に係る方法。
【請求項２０】
前記１つ以上のシリンジ定数は、シリンジ直径、シリンジストローク長さ、及びシリンジ容量を含む群から選択される、請求項１７に係る方法。
【発明の詳細な説明】
【技術分野】
【０００１】
本発明は、患者に流体を注入するための注入器に関する。
【背景技術】
【０００２】
多くの医療環境では、診断中又は治療中、患者に医療用流体を注入する。一例には、光画像化、核医学、ＣＴ、血管造影、核磁気共鳴又は超音波画像法、又は任意の画像診断法を改善するための患者への造影剤の注入、又は、電動式自動注入器を使用する治療用途がある。
【０００３】
前記及び類似の用途に好適な注入器は、典型的には、比較的容量の大きいシリンジを使用し、比較的大きい流量と注入圧を生じさせることができなければならない。このため、このような用途に用いる注入器は、典型的には、動力式であり、大型の多量（high mass）注入器モータ及び動力伝達系路を備える。使用し易いように、モータ及び動力伝達系路は、典型的には、床、壁、又は天井に取り付けられるアームによって支持される注入ヘッドに収納されている。
【０００４】
注入器ヘッドは、典型的には、シリンジに流体を注入し易くするため、ヘッドが上向きに（シリンジ先端がシリンジの残りの部分より上になるように）、及び、注入するため下向きに（シリンジ先端がシリンジの残りの部分より下になるように）傾けられるようにアームに回動可能に取り付けられる。このようにしてヘッドを傾けると、充填中、シリンジから空気を除去し易くなり、注入プロセス中、被験者に空気が注入される可能性が低くなる。それにもかかわらず、誤って患者に空気を注入する可能性は、依然として重大な安全上の問題となっている。
【０００５】
前述の注入器ヘッドに加えて、多くの注入器は、注入器を制御するための別々のコンソールを備える。コンソールは、典型的には、注入器のプログラムされた自動制御に使用できる、プログラム可能な回路を備えるため、注入器の作動を予測可能にし、スキャナ又は画像化装置などの他の装置の作動と同期させることができる。
【０００６】
この環境で、シリンジ定数として知られる特定のシリンジの物理的パラメータは、従来、特定の型のシリンジでは均一で一定のままであると仮定されてきた。これらの物理的パラメータは、シリンジ内径、シリンジストローク長さ、及びシリンジ容量のような特徴を包含する。しかし、製造のばらつき、樹脂の変更、シリンジ設計の変更、及びシステム要求の変更などの要因に基づいて変化が起こり得る。例えば、シリンジに、より硬質のプラスチックを選択すると、より柔軟なプラスチックを使用した場合よりも壁を薄くすることができる。従って、そのシリンジの外径が同じままであった場合、シリンジの内径及び容積は、より柔軟なプラスチックで製造されたシリンジのものとは異なる。
【０００７】
従来、シリンジの変化に適応させることは困難で、時間と費用が掛かることが多かった。注入器を制御するためのファームウェアは、典型的には、許容されるシリンジの定義を備える。このように、シリンジの物理的パラメータのどのような変更も、ＥＰＲＯＭなどの全く新しいファームウェア、又は、他の不揮発性記憶装置が作り出されることを必要とし、古いＥＰＲＯＭを交換するため、サービス係が注入器を有する各場所を訪問しなければならなかった。
【０００８】
幾つかの注入器システムは、操作者が、注入器システムで作動ルーチンを実行することの一部としてシリンジの物理的特性についての情報を提供することを必要とする。しかし、この手法は、注入器システム内に記憶され、別々の作動ルーチンで使用できるシリンジ定義を、サービス技術者が容易に更新できるようにする必要性に対処していない。
【発明の開示】
【課題を解決するための手段】
【０００９】
前述のこれらの必要性及び慣用的な注入器システムの他の問題は、注入器のファームウェアの交換を必要とすることなく、サービス係が注入器内に記憶されているシリンジ情報を更新することを可能にする本発明の実施形態によって対処される。
【００１０】
本発明の一態様は、造影剤注入器システム内でシリンジ定数を変更する方法に関する。本発明のこの態様によれば、サービス技術者が注入器システムの１つ以上のサービスレベルの性状（service-level aspect）の設定を行うことを可能にするインターフェイスが表示され、このインターフェイス内で、データ収集ルーチンがシリンジ定数の入力要求ないしは促進する。入力要求に応じて、シリンジ定数に関する入力が受け付けられ、受け付けられた入力に基づいてシリンジ定義が更新される。
【００１１】
本発明の他の態様は、処理装置、処理装置と結合される不揮発性記憶装置、及び、プロセッサないしは処理装置（processor）で実行するように設定される不揮発性記憶装置内に記憶されるサービスアプリケーションを備える造影剤注入器システムに関する。アプリケーション自体は、注入器システムの設定を行うためのインターフェイス、シリンジ定数に関連するデータを受け付けるように設定される入力ルーチン、及び、データに基づいてシリンジ定義を生成するように設定される更新ルーチンを備える。
【００１２】
本発明のさらに他の態様は、注入器システムを更新する方法に関する。この態様によれば、注入器システムをサービスモードにして、１つ以上のシリンジ定数を入力する。１つ以上のシリンジ定数に基づいて、追加のシリンジ定数を算出し、１つ以上のシリンジ定数及び算出されたシリンジ定数に基づいて、シリンジ定義を注入器システムに記憶する。
【発明を実施するための最良の形態】
【００１３】
（動力式注入システム）
図１を参照すると、本発明による注入器２０は、パワーヘッド２２、コンソール２４、及びパワーパック２６（カバーの内側に取り付けられている）などの様々な機能的構成要素を備える。シリンジ３６（図２）は、注入器２０のパワーヘッド２２の面板２８に取り付けられており、様々な注入器制御を使用して、例えば、ＣＴ、血管造影法、又は他の処置のための造影剤をシリンジに充填し、その後、操作者による又は予めプログラムされた制御で、検査を受けている被験者に造影剤を注入する。
【００１４】
注入器パワーヘッド２２は、内部駆動モータの動作の制御に使用する手動の動作制御レバー２９、並びに、操作者に現在の状態及び注入器の作動パラメータを表示するための表示装置３０を備える。コンソール２４は、注入器２０の作動を遠隔制御するため操作者によって使用され得る、また、注入器２０による自動注入のためのプログラムを指定及び記憶するのにも使用され得るタッチスクリーン表示装置３２を備え、該プログラムは、後で、操作者が開始すると、注入器で自動的に実行することができる。
【００１５】
パワーヘッド２２及びコンソール２４は、ケーブル配線（図示せず）を通してパワーパック２６に接続する。パワーパック２６は、注入器のための電源装置、コンソール２４とパワーヘッド２２との間を通信するインターフェイス回路、及び、遠隔コンソール、手若しくは足による遠隔制御スイッチ、又は、例えば、注入器２０の作動を画像化システムのＸ線露光と同期させることを可能にする他の相手先商標製造会社（ＯＥＭ）遠隔制御接続などの遠隔装置に注入器２０の接続を可能にする別の回路を備える。
【００１６】
パワーヘッド２２、コンソール２４、及びパワーパック２６はキャリッジ３４に取り付けられ、キャリッジ３４は、検査の被験者の近くにパワーヘッド２２を位置決めし易いように、パワーヘッド２２を支持する支持アーム３５を備える。しかし、他の設置も想到され、例えば、コンソール２４及びパワーパック２６はテーブルに配置されるか、又は検査室の電子機器ラックに取り付けられてもよく、一方、パワーヘッド２２は天井、床、又は壁に取り付けられる支持アームで支持される。
【００１７】
ここで図２を参照すると、作動中、シリンジ３６及び圧力ジャケット３８はパワーヘッド２２に取り付けられており、そのため、パワーヘッド２２の内部のモータは通電されると、シリンジ３６のバレル内でプランジャ３７をシリンジの放出先端（discharge chip）４０の方に及び放出先端４０から離れるように移動させ、それによって、シリンジ３６から流体を排出するか、又はシリンジに流体を充填し得る。圧力ジャケット３８は、シリンジ３６の外壁に支持を提供し、シリンジ３６の壁が高い注入圧力で損傷しないように保護する。
【００１８】
シリンジ３６及び圧力ジャケット３８は、透明なプラスチック材料で製造され、操作者はそれを通してプランジャ３７の現在の位置、及びプランジャ３７と放出先端４０の間にあるシリンジ内の流体又は空気を観察することができる。従って、前述のように、操作者は、パワーヘッド２２を上向きに傾け、充填プロセスを目視で監視しながら流体の供給源からシリンジ３６を充填した後、患者に繋がる管類に注入器を接続し、シリンジ内の流体のレベルを目視で監視しながら管類及びシリンジから空気を排出した後、空気が排出されると、注入器を下向きに傾け、被験者への流体の注入を続行する。
【００１９】
この充填プロセス、及び、被験者に注入する間に実施され得る他の操作を容易にするため、パワーヘッド２２は、回転可能なレバー２９の形態である手動の動作制御を備える。具体的には、レバー２９は、パワーヘッド２２の内側にある回転軸を中心に回転可能である。図２に示されるように、手動の制御レバー２９が定位置にあるとき、パワーヘッド２２によってプランジャの移動は発生しない。しかし、手動の制御レバー２９をシリンジ３６の方に回転させると、パワーヘッド２２によって前方へのプランジャの移動が発生し、流体又は空気をシリンジ３６から排出する。或いは、手動の制御レバー２９をシリンジ３６から離れるように回転させると、パワーヘッド２２によって逆方向へのプランジャの移動が発生し、流体又は空気がシリンジ３６に充填される。
【００２０】
被験者に注入される流体がほぼ体温に維持されることを確実にするため、ヒーターブランケット４２が圧力ジャケット３８の外壁に隣接して設置される。ヒーターブランケット４２は、シリンジ３６内の流体の温度を調整するために熱を発生させる電気ヒータを備える。ヒーターブランケット４２は、面板２８から延出するポスト４４に取り付けられ、ヒーターブランケット４２は圧力ジャケット３８と熱的に接触した状態に保持される。
【００２１】
パワーヘッド２２の後端に、パワーヘッドの状態を表示する表示ランプ４６（光拡散カバーで覆われている）がある。
【００２２】
図１及び図２に示されるものなどの注入器システムの作動を制御する、例示的なハードウェア及びソフトウェアの更なる詳細は、米国特許第５，８６８，７１０号明細書に見出すことができ、該明細書は、本発明の譲受人に譲渡されており、参照することによりその内容全体が本明細書に組み込まれている。
【００２３】
（シリンジ定義）
前述のように、コンソール２４及びタッチスクリーン表示装置３２は、注入器２０の操作者にユーザーインターフェイスを提供する。注入器の維持に関連する機能は、操作者が使用するものとは異なるため、サービス係には、典型的には、操作者のインターフェイススクリーンとは異なるインターフェイススクリーンがコンソールに提供される。記憶されているシリンジの物理的特性の定義に追加又は変更を行うため、このサービスインターフェイススクリーンから技術者にメニュー選択を提供することができる。サービス技術者は、注入器２０の一部である入力デバイス（例えば、キーボード、タッチスクリーンなど）を介して、又は、注入器２０のインターフェイスポートに接続できる他の診断装置からユーザーインターフェイスに入力を提供することができる。
【００２４】
技術者がユーザーインターフェイスを通してシリンジ定義の変更を続行することを選択すると、図３に示される例示的なスクリーン３００などのインターフェイススクリーンを技術者に示すことができる。図４は、シリンジ定義を更新するための例示的フローチャートを示す。
【００２５】
図４のフローチャートによれば、サービス技術者は、コンソール２４を使用して、注入器が提供するサービスユーザーインターフェイスに到達し（ステップ４０２）、サービス関連の複数の選択肢から、記憶されているシリンジ定義の変更を可能にするルーチンを選択する（ステップ４０４）。この特定のサービスルーチンによって、技術者は、意図される変更が新規のシリンジ定義を作り出すことであるか、又は既存の定義の変更であるかを指定する（ステップ４０６）ことができる。既存の定義を変更する場合、更新する正しい定義の選択を助けるため、記憶されているシリンジの名前を技術者に示すことができる。
【００２６】
最終的に、この特定のサービスルーチンは、好ましくは技術者に次のシリンジパラメータ又はシリンジ定数、即ち、シリンジ内径、シリンジストローク長さ、及びシリンジ容量のいずれかを入力する（ステップ４０８）機会を与えるインターフェイススクリーン３００を表示する。これらの値は、相互に関連しており、それらのいずれか２つを指定すると第３のものを自動的に算出することができる。また、インターフェイスは、好ましくは、サービス技術者が新しいシリンジ情報をラベルで表示するか又は明示する機会を提供する。そうすることによって、注入器を作動させるとき、操作者は適正なシリンジを更に容易に選択することができる。
【００２７】
ステップ４０８のこの機能は、シリンジ直径を入力するためのデータ入力ボックス３０２、シリンジ容量を入力するためのデータ入力ボックス３０４、及び、シリンジストローク長さを入力するためのデータ入力ボックス３０６を備えるグラフィカルユーザーインターフェイス（図３参照）を介して提供することができる。別のデータ入力ボックス３０８を備えると、シリンジ定義をラベルで表示することが容易になる。２つの値を入力すると、サービス技術者はボタン３１２を使用し、（口径×ストローク＝容量）の関係により、第３のシリンジ定数を算出することができる。他のインターフェイス要素３１０によって、サービス技術者は、サービル関連ユーザーインターフェイスを通して利用可能な他の異なるサービスルーチンに移動することができる。
【００２８】
実際、サービス技術者は、シリンジ製造業者又は販売業者から提供される新しいシリンジ定義に必要なパラメータを有する。次いで、この情報を使用して、注入器に新しいシリンジ定義を作り出すことができる。シリンジ定義を作り出した後、注入器の不揮発性メモリに追加入力として記憶する（ステップ４１０）ことができるか、又は、メモリ内の古い入力を上書きするように記憶することができる。
【００２９】
サービス技術者が新しいシリンジ定義を作り出さず、代わりに、既存の入力を単に変更するだけの場合、インターフェイスは、そのシリンジ定義に対する既存の値をデータ入力スクリーンに読み込むことができる。次いで、技術者は、既に述べた１つ以上のシリンジパラメータを変更することができる。どのパラメータが新しく入力されたか、及びどれを算出するのかを注入器システムが決定できるように、サービス技術者は、インターフェイスを介して算出される１つのパラメータを消去してもよい。
【００３０】
注入器システムによって実行される異なる送達及び充填ルーチンは、記憶されている定義からシリンジパラメータを使用するため、注入器システム２０は、作動中、必ず更新されたシリンジ情報が使用されるようにしなければならない。更新されたシリンジ定義を記憶することの一部として、そのルーチンは、影響を受ける記憶されているパラメータを全て再算出し、更新することができるが、注入器システムの作動ルーチンはそのパラメータに依存する。或いは、サービスレベルのルーチンは、古いパラメータにフラグをたて、作動ルーチンによりパラメータを試験して、その有効性を決定し、無効であれば再算出することができる。このように、操作者により開始される作動ルーチンの初期設定で、注入器システム２０は、現在古くなっている場合があるシリンジ定義又は影響を受けるパラメータの記憶装置を消去し、より永久的な記憶装置から定義を読み取り、パラメータを再算出することができる。或いは、記憶装置の消去は、サービスルーチンが最近実行されたかどうかを注入器システム２０が何らかの種類の自己検出ルーチンを通して決定するかどうかに依存してもよい。
【００３１】
注入器システムが、記憶されているシリンジ定義及び関連するパラメータを使用して自動的に実行できる様々なプロトコル及びルーチンの更なる詳細は、米国特許第５，６６２，６１２号明細書に見出すことができ、該明細書は、本発明の譲受人に譲渡されており、参照することによりその内容全体が本明細書に組み込まれている。従って、サービス技術者は、製造のばらつき、樹脂の変更、シリンジ設計の変更、及びシステム要件の変更によるシリンジの変化に適応するように、作動ルーチン中に使用されるシリンジのストローク長さ及び容量を容易に更新できる。
【００３２】
様々な実施形態の説明により本発明を例証し、これらの実施形態を詳細に説明してきたが、請求項の範囲をこのような詳細に制限する又は何ら限定することが本出願人の意図ではない。他の利点及び変更は、当業者に容易に分かる。従って、より広範な態様において本発明は、図示及び前述された具体的詳細、代表的システム、装置、及び方法、及び例証の実施例に限定されない。従って、本出願人の概略的な発明の概念の趣旨及び範囲から逸脱することなく、このような詳細から離れてもよい。
【図面の簡単な説明】
【００３３】
【図１】パワーヘッド、コンソール、及び（カバーの下に）パワーパックを備え、シリンジ、圧力ジャケット、ヒーターブランケット、及び空気検出モジュールが取り外されている、本発明の原理による注入器の斜視図である。
【図２】パワーヘッド表示装置、手動制御、及び支持アーム取り付けをより詳細に示す、圧力ジャケット、シリンジ、及び、ヒーターブランケットが取り付けられている図１の注入器のパワーヘッドの斜視図である。
【図３】サービス技術者に示される可能性がある例示的なグラフィカルユーザーインターフェイスを示す図である。
【図４】本発明の実施形態によるシリンジ定義を更新する例示的な方法のフローチャートである。
【符号の説明】
【００３４】
２０  注入器
２２  パワーヘッド
２４  コンソール
２６  パワーパック
３６  シリンジ
２０  注入器
２８  面板
２９  動作制御レバー
３０  表示装置
３２  タッチスクリーン表示装置
３４  キャリッジ
３６  シリンジ
３７  プランジャ
３８  圧力ジャケット
４０  放出先端
４２  ヒーターブラケット
４６  表示ランプ
【図１】
2007516778.tif 000003
【図２】
2007516778.tif 000004
【図３】
2007516778.tif 000005
【図４】
2007516778.tif 000006
【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
造影剤注入器システム内での方法であって、
前記注入器システムの１つ以上のサービスレベルの性状の構成を行うことを可能にするインターフェイスを表示し、
前記インターフェイスのデータ収集ルーチンを使用してシリンジ定数の入力指示を要求し、前記シリンジ定数はシリンジ直径、シリンジストローク長さ、及びシリンジ容積のうちの２つ以上を含み、
前記シリンジ定数のうちの２つ以上の前記入力指示を受け付け、
前記受け付けられた入力のシリンジ定義を更新する、方法。
【請求項２】
前記注入器システムの一部である不揮発性メモリに前記シリンジ定義を記憶する、請求項１に記載の方法。
【請求項３】
前記受け付けられた入力は、シリンジ直径、シリンジストローク長さ、及びシリンジ容量の指示である、請求項１又は請求項２に記載の方法。
【請求項４】
前記受け付けは、シリンジ直径、シリンジストローク長さ、及びシリンジ容積を含む群から選択された２つののみのシリンジ定数の入力指示の受け付けを含み、
前記受け付けられた入力により指示される前記２つのシリンジ定数とは異なる第３のシリンジ定数を計算し、この第３のシリンジ定数はシリンジ直径、シリンジストローク長さ、及びシリンジ容積を含む群から選択される、請求項３に記載の方法。
【請求項５】
前記更新に基づいて前記注入器システムの１つ以上の作動ルーチンを変更する、請求項１から請求項４のいずれか１項に記載の方法。
【請求項６】
前記更新に基づいて前記注入器システムにより記憶されている１つ以上のパラメータを変更する、請求項１から請求項５のいずれか１項に記載の方法。
【請求項７】
前記受け付けられた入力に基づいてラベルをシリンジ情報と対応付ける、請求項１から請求項６のいずれか１項に記載の方法。
【請求項８】
前記更新は、既存のシリンジ定義の変更、又は新しいシリンジ定義の生成を含む、請求項１から請求項７のいずれか１項に記載の方法。
【請求項９】
前記シリンジ定義を記憶する前に前記不揮発性メモリから別のシリンジ定義を削除する、請求項２に記載の方法。
【請求項１０】
前記インターフェイスから出て、
作動ルーチンが実行される作動インターフェイスを表示する、請求項１から請求項９のいずれか１項に記載の方法。
【請求項１１】
前記作動ルーチンが前記シリンジ定義に依存する、請求項１０に記載の方法。
【請求項１２】
処理装置と、
前記処理装置と結合される不揮発性記憶装置と、
前記不揮発性記憶装置内に記憶され、前記処理装置で実行するように構成されたアプリケーションと、
を備える造影剤注入器システムであって、前記アプリケーションは、
前記注入器システムの構成を行うためのインターフェイスと、
シリンジ直径、シリンジストローク長さ、及びシリンジ容量を含むシリンジ定数の２つ以上に関連するデータを受け付けるように構成された入力ルーチンと、
前記入力ルーチンで受け付けられたデータに基づいてシリンジ定義を生成するように構成された定義ルーチンと
を備える、システム。
【請求項１３】
前記入力ルーチンは、技術者に前記シリンジ定数に関連するデータの入力を要求し、省略されるシリンジ定数を決定し、前記省略されているシリンジ定数を算出するように構成されている、請求項１２に記載のシステム。
【請求項１４】
前記シリンジ定義は前記不揮発性記憶装置に記憶される、請求項１２又は請求項１３に記載のシステム。
【請求項１５】
前記不揮発性記憶装置に記憶された作動アプリケーションをさらに備え、前記作動アプリケーションは前記注入器システムの注入器を作動させる１つ以上の制御ルーチンを備え、前記制御ルーチンは前記シリンジ定義を使用して前記注入器を作動させる、請求項１２から請求項１４のいずれか１項に記載のシステム。
【請求項１６】
注入器システムを更新する方法であって、
前記注入器システムのサービスモードに入り、
２つ以上のシリンジ定数を入力し、前記入力されるシリンジ定数のうち少なくとも２つはシリンジ直径、シリンジストローク長さ、及びシリンジ容量を含む群から選択され、
前記入力に基づいて、追加のシリンジ定数を算出し、
前記２つ以上のシリンジ定数及び前記算出された追加のシリンジ定数に基づいて前記注入器システムにシリンジ定義を記憶する、方法。
【請求項１７】
注入器システムを更新する方法であって、
前記注入器システムのサービスモードに入り、
少なくとも２つのシリンジ定数を入力し、前記入力されるシリンジ定数のうち少なくとも２つはシリンジ直径、シリンジストローク長さ、及びシリンジ容量を含む群から選択され、
前記少なくとも２つのシリンジ定数に基づいて前記注入器システム内にシリンジ定義を記憶する、方法。
【請求項１８】
前記入力は少なくとも３つの前記シリンジ定数の入力を含む、請求項１７に記載の方法。
【請求項１９】
前記シリンジ定義に依存する前記注入器システム内のソフトウェアルーチンを更新する、請求項１７又は請求項１８に記載の方法。
【請求項２０】
前記少なくとも３つの定数は、シリンジ直径、シリンジストローク長さ、及びシリンジ容量を含む、請求項１８に記載の方法。
【請求項２１】
造影剤注入器システム内での方法であって、
２つ以上の定数の入力指示を受け付け、前記シリンジ定数はシリンジ直径、シリンジストローク長さ、及びシリンジ容積のうちの２つ以上を含み、
前記受け付けられた入力のシリンジ定義を更新する、方法。
【請求項２２】
前記注入器システムの一部である不揮発性メモリに前記シリンジ定義を記憶する、請求項２１に記載の方法。
【請求項２３】
前記受け付けられた入力は、シリンジ直径、シリンジストローク長さ、及びシリンジ容量の指示である、請求項２１又は請求項２２に記載の方法。
【請求項２４】
前記受け付けは、シリンジ直径、シリンジストローク長さ、及びシリンジ容積を含む群から選択された２つののみのシリンジ定数の入力指示の受け付けを含み、
前記受け付けられた入力により指示される前記２つのシリンジ定数とは異なる第３のシリンジ定数を計算し、この第３のシリンジ定数はシリンジ直径、シリンジストローク長さ、及びシリンジ容積を含む群から選択される、請求項２３に記載の方法。
【請求項２５】
前記更新に基づいて前記注入器システムの１つ以上の作動ルーチンを変更する、請求項２１から請求項２４のいずれか１項に記載の方法。
【請求項２６】
前記更新に基づいて前記注入器システムにより記憶されている１つ以上のパラメータを変更する、請求項２１から請求項２５のいずれか１項に記載の方法。
【請求項２７】
前記受け付けられた入力に基づいてラベルをシリンジ情報と対応付ける、請求項２１から請求項２６のいずれか１項に記載の方法。
【請求項２８】
前記更新は、既存のシリンジ定義の変更、又は新しいシリンジ定義の生成を含む、請求項２１から請求項２７のいずれか１項に記載の方法。
【請求項２９】
前記シリンジ定義を記憶する前に前記不揮発性メモリから別のシリンジ定義を削除する、請求項２２に記載の方法。
【国際調査報告】
2007516778.tif 000007
2007516778.tif 000008
2007516778.tif 000009